(57)【要約】【課題】  壁掛け式のミスト機能付き浴室暖房装置として、ミストが本体ケーシング下側の浴室の壁面側へ進出することを簡単に防止できる構成を提供する。【解決手段】  本ミスト機能付き浴室暖房装置は、本体ケーシング１下部に暖房ユニットにおける循環ファン５の吹出し口１１を設け、この吹出し口１１よりも上側となる本体ケーシング１正面にミストユニットのミスト噴霧口１３を設け、上記ミスト噴霧口１３から噴霧されるミスト２７の背面側に上記吹出し口１１からの温風（風）によるミスト遮断空気流２６が形成されるように構成する。  これにより、ミスト噴霧口１３から噴霧されたミスト２７よりも壁面２８側に吹出し口１１から吹き出された風がいわばエアーカーテンとなってミスト２７が本体ケーシング１下側の浴室２０の壁面２８側へ進出することを防止できる。【選択図】  図１
2006334285.tif 000002
【特許請求の範囲】
【請求項１】
暖房ユニットにおける循環ファンの吹出し口とミストユニットにおけるミスト噴霧口とが本体ケーシングに設けられ、この本体ケーシングが浴室内の壁面に壁掛け式に設置可能に構成されたミスト機能付き浴室暖房装置において、
上記ミスト噴霧口から噴霧されるミストの背面側にミスト遮断空気流を形成するように上記吹出し口が配置されることを特徴とするミスト機能付き浴室暖房装置。
【請求項２】
請求項１に記載のミスト機能付き浴室暖房装置において、
上記本体ケーシングには、その下部に上記吹出し口が設けられるとともに、この吹出し口よりも上側又は正面側に上記ミスト噴霧口が設けられるミスト機能付き浴室暖房装置。
【請求項３】
請求項１又は２に記載のミスト機能付き浴室暖房装置において、
上記吹出し口には、送風方向を上下に変更可能な翼体が設けられているミスト機能付き浴室暖房装置。
【請求項４】
請求項１乃至３のいずれかに記載のミスト機能付き浴室暖房装置において、
上記ミスト噴霧口は、ミスト噴霧方向を上下に変更可能に構成されているミスト機能付き浴室暖房装置。
【請求項５】
請求項１乃至４のいずれかに記載のミスト機能付き浴室暖房装置において、
上記本体ケーシングは、浴室の出入口扉上の壁面に配設可能に構成されているミスト機能付き浴室暖房装置。
【発明の詳細な説明】
【技術分野】
【０００１】
本発明は、暖房ユニットにおける循環ファンの吹出し口とミストユニットにおけるミスト噴霧口とが本体ケーシングに設けられ、この本体ケーシングが浴室内の壁面に壁掛け式に設置可能に構成されるミスト機能付き浴室暖房装置に関する。
【背景技術】
【０００２】
図４に示すように、従来、この種のミスト機能付き浴室暖房装置は、外部熱源機４０９に配管接続された熱交換器４０３及び浴室２０内の空気を吸込み口４１２から吸込むとともに吹出し口４１３から吹き出させる循環ファン４０２を有する暖房ユニットと、外部熱源機４０９に配管接続された液々熱交換器４０６及び液々熱交換器４０６から導出された配管４２２の端末に設けたミスト噴霧口４０５を有するミストユニットとを備えるものである（特許文献１の図６参照）。
【０００３】
そして、このミスト機能付き浴室暖房装置の本体ケーシング４０４は、浴室２０内の壁面４３６に壁掛け式に設置され、この本体ケーシング４０４の下部には、前方側に上記循環ファン４０２の吹出し口４１３が設けられるとともに、この吹出し口４１３の後方側（壁側）に上記ミスト噴霧口４０５が設けられている。このようなミスト機能付き浴室暖房装置では、浴室２０内を暖房すると同時にミストを噴霧することで、暖房された浴室２０内にミストを充満させてミストサウナを楽しむことができる。なお、図４中、４１８は浴室換気を行う換気ファン、Ｒはミスト機能付き浴室暖房装置の動作指令を操作するリモコン、Ｈはミスト機能付き浴室暖房装置を制御する制御部である。
【特許文献１】特開２００３−３３４２３０号公報
【発明の開示】
【発明が解決しようとする課題】
【０００４】
ところで、上記のような壁掛け式のミスト機能付き浴室暖房装置は、図５に示すように、吹出し口４１３から温風１０１を吹き出していると、ミスト噴霧口４０５から噴霧されたミスト１００がその前方の温風１０１の流れにより本体ケーシング４０４下側の壁面側にも進出する。
そのため、上記ミスト機能付き浴室暖房装置の本体ケーシング４０４が浴室２０の出入口扉２５上の壁面４３６に配設される場合は、入浴者が入退室するために浴室２０の出入口扉２５が開放されると、この出入口２１からミスト噴霧口４０５より噴霧されたミスト１００が脱衣室２４に漏れ出してしまう。すると、脱衣室２４の壁や建具等がミスト１００により湿り、壁等が傷むという問題が生じる。
【０００５】
また、ミスト１００が本体ケーシング４０４下側の壁面４３６あるいは出入口扉２５へ進出しやすいことから、ミスト１００が上記の壁面４３６や出入口扉２５に接触して消滅する。しかも、ミスト１００の前方に温風１０１が吹き出されるので、浴室２０内にミスト１００が行き渡り難い。そのため、浴室２０内にはミスト１００が十分に充満し難かったり、浴室２０内のミスト状態が変化し、浴室２０内部にミスト１００を良好に浮遊させて快適なミストサウナを楽しむことが阻害され得る。
本発明は、上記事情に鑑みてなされたものであり、ミストが本体ケーシング下側の浴室の壁面側へ進出することを簡単に防止できるようにしたミスト機能付き浴室暖房装置を提供することを課題とする。
【課題を解決するための手段】
【０００６】
（１）本発明に係るミスト機能付き浴室暖房装置は、暖房ユニットにおける循環ファンの吹出し口とミストユニットにおけるミスト噴霧口とが本体ケーシングに設けられ、この本体ケーシングが浴室内の壁面に壁掛け式に設置可能に構成されたミスト機能付き浴室暖房装置において、上記ミスト噴霧口から噴霧されるミストの背面側にミスト遮断空気流を形成するように上記吹出し口が配置されることを特徴とするものである。
これにより、吹出し口からの風によるミスト遮断空気流がいわばエアーカーテンとなってミスト噴霧口から噴霧されるミストが本体ケーシング下側の浴室の壁面側へ進出することを防止できる。しかも、上記ミスト遮断空気流によってミストが前方の浴室内に行き渡りやすくなる。
【０００７】
（２）また、上記本体ケーシングには、その下部に上記吹出し口が設けられるとともに、この吹出し口よりも上側又は正面側に上記ミスト噴霧口が設けられてもよい。
これにより、ミスト噴霧口から噴霧されたミストよりも壁面側に吹出し口から吹き出された風がいわばエアーカーテンとなってミストが本体ケーシング下側の浴室の壁面側へ進出することを防止できる。しかも、上記ミスト遮断空気流によってミストが前方の浴室内に行き渡りやすくなる。
【０００８】
（３）また、上記吹出し口には、送風方向を上下に変更可能な翼体が設けられてもよい。
これにより、ミストが本体ケーシング下側の浴室の壁面側へ進出することを防止しつつ、翼体によって吹出し口の風向きを変更することで、ミスト噴霧口から噴霧されるミストを吹出し口からの風に乗せて浴室内部の所望領域にミストを送り込むことができる。
【０００９】
（４）また、上記ミスト噴霧口は、ミスト噴霧方向を上下に変更可能に構成されてもよい。
これにより、ミストが本体ケーシング下側の浴室の壁面側へ進出することを防止しつつ、ミスト噴霧口のミスト噴霧方向を変更することで、ミスト噴霧口から噴霧されるミストを浴室内部の所望領域に送り込むことができる。
【００１０】
（５）また、上記本体ケーシングは、浴室の出入口扉上の壁面に配設可能に構成されてもよい。
このものでは、本体ケーシング下側に浴室の出入口扉が配設されるが、吹出し口からの風がエアーカーテンとなってミストが本体ケーシング下側の出入口扉側へ進出することを防止できる。従って、出入口扉を開けてもミスト噴霧口から噴霧されるミストが出入口から隣接する脱衣室等に漏れ出ることを抑制することができる。
【発明の効果】
【００１１】
以上のように、本発明に係るミスト機能付き浴室暖房装置によれば、吹出し口からの風によるミスト遮断空気流がいわばエアーカーテンとなってミストが本体ケーシング下側の浴室の壁面側へ進出することが防止される。従って、本体ケーシングを浴室の出入口扉上の壁面に設置しても、ミスト噴霧口から噴霧されるミストが出入口扉を開けたときに隣接する脱衣室等に漏れ出ることが防止され、脱衣室等がミストの湿気で傷むことを防止できる。
【００１２】
また、上記ミスト遮断空気流のエアーカーテンによって、ミストが浴室外へ漏れ出ること、ミストが浴室の壁面や出入口扉等と接触して消滅すること等が防止される。しかも、上記ミスト遮断空気流によってミストが前方の浴室内に行き渡りやすくなる。従って、浴室内に十分にミストを充満させ、且つミスト濃度の低下を抑制することができ、ミストを浴室内部に良好に浮遊させて快適なミストサウナを楽しむことができる。
【発明を実施するための最良の形態】
【００１３】
以下に、本発明の実施の形態について添付図面を参照しながら説明する。
図１には、本発明の実施の形態によるミスト機能付き浴室暖房装置が浴室内の壁面に設置された状態の断面構成を示し、また、図２には、このミスト機能付き浴室暖房装置における本体ケーシングの外観構成を示す。
【００１４】
図１に示すように、実施の形態によるミスト機能付き浴室暖房装置は、暖房ユニットと、ミストユニットとを備え、本体ケーシング１が浴室２０内の壁面２８に壁掛け式に設置されたものである。また、このミスト機能付き浴室暖房装置は、リモコン（図示せず）によって所望の運転操作を行うことができ、リモコンには、例えば、暖房スイッチ、ミストスイッチ、タイマースイッチ等の各種スイッチと、運転状態を表示する液晶表示画面等が設けられる。なお、リモコンは、例えば、赤外線通信等の無線通信手段により本体ケーシング１等に設けられた制御手段（図示せず）に所定の指令を送信できるように構成される。
【００１５】
上記暖房ユニットは、外部熱源機３に配管３０が接続された熱交換器４と、浴室２０内の空気を循環させる循環ファン５とを有する。上記ミストユニットは、外部熱源機３に配管接続された液々熱交換器６と、この液々熱交換器６から導出する配管６０の端末に接続されて浴室２０内にミスト２７を噴霧させるミスト噴霧口１３とを有する。なお、ミストユニットは、上記液々熱交換器６を設けずに、ミスト噴霧口１３を接続する配管６０に外部熱源機３からの温水を供給するように構成してもよい。また、上記ミスト機能付き浴室暖房装置には、換気ファンを設けていないが、図４に示した従来のものと同様に本体ケーシング１内に換気ファンを設けて浴室２０内の換気運転を行えるようにしてもよい。
【００１６】
上記本体ケーシング１は、図２に示すように、横長矩形状に形成されており、その正面上側には上記循環ファン５の駆動により浴室２０内の空気を本体ケーシング１内に吸込む吸込み口１０が複数のスリットにより横長に形成され、また、本体ケーシング１下部には上記循環ファン５の駆動により本体ケーシング１内に吸込んだ空気を浴室２０内に吹き出させる吹出し口１１が横長矩形状に形成されている。
【００１７】
また、上記吹出し口１１には、吹出し口１１から吹き出される空気の送風方向を上下に変更するためのルーバ（翼体）１２が設けられている。このルーバ１２は、吹出し口１１の両側端に軸支されてその軸にモータ（駆動手段）から駆動入力することにより上下方向に揺動可能に構成されている。ルーバ１２の揺動範囲は、特に限定されるものではないが、吹出し口１１を塞ぐ位置から風案内面の面方向が下方を向く位置までの間を揺動するように設定される。
【００１８】
例えば、暖房運転がオフであれば、ルーバ１２は吹出し口１１を塞ぐ位置に設定され、暖房運転がオンであれば、ルーバ１２は吹出し口１１を開放するいずれかの位置に固定設定されたり所定の揺動範囲を揺動するスイング設定される。従って、暖房運転（あるいは送風運転）で循環ファン５を駆動すると、吹出し口１１から吹き出される空気（温風）は、ルーバ１２の風案内面に沿った方向へ吹き出され、このルーバ１２の揺動位置によって吹出し口１１から吹き出される空気（温風）の送風方向を上下の所定位置に設定することができる。なお、この吹出し口１１には、上記ルーバ１２に加えて、風向きを左右に変更する案内板を設けてもよい。
【００１９】
そして、本体ケーシング１内では、暖房ユニットの循環ファン５を駆動することにより吸込み口１０から吹出し口１１へ至る空気通路が形成され、この空気通路中に熱交換器４が配置されている。従って、開閉弁３１を開弁して配管３０を通じて外部熱源機３から熱媒体（温水）を熱交換器４に循環供給し、循環ファン５を駆動すると、浴室２０内の空気が吸込み口１０から本体ケーシング１内に吸込まれ、空気通路を流れる間に熱交換器４によって加熱され、吹出し口１１から温風となって浴室２０内に吹き出される（図１参照）。このようにして、浴室２０内の暖房が行われる。なお、上記熱交換器４に熱媒体を供給することなく循環ファン５を駆動することで、送風運転することもできる。
【００２０】
さらに、上記本体ケーシング１には、ミストユニットのミスト噴霧口１３が１つポイント状に設けられている。従って、開閉弁３２を開弁して外部熱源機３から液々熱交換器６に熱媒体（温水）を循環供給し、給水弁６１及び開閉弁６２を開弁すると、給水管６１からの冷水が液々熱交換器６を通過する間に加熱され、そして、配管６０を通してミスト噴霧口１３から浴室２０内に温水のミスト２７が噴霧される（図１参照）。このようにして、浴室２０内のミスト運転が行われる。なお、配管６０内の温水が所望のミスト設定温度に達するまでは、開閉弁７１を開弁して配管６０内の低温水を排水管７０から排水させるようにしてもよい（図１参照）。
【００２１】
そして、上記ミスト噴霧口１３の設置位置は、従来のもの（図４参照）とは異なり、本体ケーシング１の正面下側の中央位置にあって上記吹出し口１１よりも上側に配置されている。従って、このミスト噴霧口１３から噴霧されるミスト２７の背面側には、上記吹出し口１１からの空気流（ミスト遮断空気流２６）が形成されることとなる。これによる作用効果について、以下に、設置例を挙げて説明する。
【００２２】
〔設置例１〕
設置例１として、図１に示すように、ミスト機能付き浴室暖房装置は、本体ケーシング１が浴室２０の出入口扉２５上の壁面２８に設置される。この出入口扉２５を通じて浴室２０に隣接する脱衣室２４から浴室２０内に出入りすることができる。
そして、このように設置されたミスト機能付き浴室暖房装置を運転して暖房ユニット及びミストユニットを動作させると、吹出し口１１からの温風の吹き出し及びミスト噴霧口１３からのミスト噴射によって、浴室２０内が暖房されるとともにミスト２７が充満されて、浴室２０をミストサウナとして利用することができる。
【００２３】
この場合、循環ファン５の吹出し口１１は、本体ケーシング１下部に設けられ、ミスト噴霧口１３は、この吹出し口１１よりも上側の本体ケーシング１正面に設けられているので（図１参照）、吹出し口１１からの温風は、出入口扉２５の上方からミスト２７の背面側に吹き出される。また、吹出し口１１は、本体ケーシング１においてポイント状に形成された１つのミスト噴霧口１３に対して横長に形成されているので（図２参照）、吹出し口１１からの温風は、ミスト噴霧口１３からのミスト２７を囲うように横長に広がって吹き出される。従って、この吹出し口１１からの温風により、本体ケーシング１下側の壁面２８及び出入口扉２５の前面を覆うようにしてミスト遮断空気流２６が形成される。
【００２４】
これにより、ミスト噴霧口１３から拡散して出入口扉２５側へ向かうミスト２７は、上記ミスト遮断空気流２６に乗って浴室２０の内側へ送り込まれる。すなわち、上記ミスト遮断空気流２６がいわばエアーカーテンとなってミスト噴霧口１３から噴霧されたミスト２７が本体ケーシング１下側の出入口扉２５側へ進出するのを防止する。従って、入浴者が浴室２０への入退室のために出入口扉２５を開放しても、ミスト噴霧口１３から噴霧されたミスト２７が、浴室２０の出入口２１から脱衣室２４へ漏れ出ることを防止できる。
【００２５】
このように、上記ミスト機能付き浴室暖房装置によれば、本体ケーシング１においてミストユニットのミスト噴霧口１３は循環ファン５の吹出し口１１よりも上側に配設されているので、ミスト噴霧口１３から噴霧されたミスト２７が、吹出し口１１からの温風（風）によるミスト遮断空気流２６によって浴室２０の壁面２８側へ進出することが防止される。
【００２６】
従って、ミスト機能付き浴室暖房装置の本体ケーシング１を浴室２０の出入口扉２５上の壁面２８に設置しても、ミスト噴霧口１３からのミスト２７が出入口扉２５を開けたときに隣接する脱衣室２４等に漏れ出ることを防止でき、脱衣室２４の壁や建具等がミスト２７の湿気で傷むことを防止できる。
【００２７】
また、上記ミスト２７遮断空気流２６のエアーカーテンによって、ミスト２７が浴室２０外へ漏れ出ること、ミスト２７が浴室２０の壁面２８や出入口扉２５等と接触して消滅すること等も併せて防止される。しかも、上記ミスト遮断空気流２６によってミスト２７が前方の浴室２０内に行き渡りやすくなる。従って、浴室２０内に十分にミスト２７を充満させ、且つミスト濃度の低下を抑制することができ、ミスト２７を浴室２０内部に良好に浮遊させて浴室２０内のミスト充満状態を維持し快適なミストサウナを楽しむことができる。
【００２８】
〔設置例２〕
図３には、上記ミスト機能付き浴室暖房装置１の別の設置例を示す。
設置例２として、図３に示すように、ミスト機能付き浴室暖房装置は、本体ケーシング１が浴室２０内の浴槽２２の配置された壁面２９に設置される。そして、上記設置例１の場合と同様に、ミスト機能付き浴室暖房装置を動作させることにより、浴室２０をミストサウナとして利用することができる。
【００２９】
この場合、吹出し口１１からの温風は、浴室２０の浴槽２２の上方からミスト２７の背面側にミスト遮断空気流２６を形成するように吹き出される。そして、浴槽２２内の入浴者２８は、リモコン等を操作して吹出し口１１に設けられたルーバ１２を所望の角度に変更することで、例えば、入浴者２８の頭上にミスト遮断空気流２６が形成されるようにルーバ１２の角度を変更する。すると、吹出し口１１からの温風により、浴槽２２の上側を覆うようにしてミスト遮断空気流２６が形成される。
【００３０】
これにより、ミスト噴霧口１３から浴槽２２へ向かうミスト２７は、ミスト遮断空気流２６に乗って浴室２０の内側へ送り込まれ、浴槽２２内の入浴者２８の頭上にミスト２７が落下することを防止できる。また、浴槽２２より外側の洗い場２３等の空間にはミスト２７が送り込まれて充満するので、入浴者２８は浴槽２２から出て、洗い場２３においてミストサウナを楽しむことができる。
【００３１】
このように、ミスト機能付き浴室暖房装置を浴室２０の浴槽２２の上側の壁面２９に設置した場合には、ミスト２７が浴槽２２内の入浴者２８の頭上に落下することを防止でき、浴槽２２に入浴している入浴者２８が頭上からミスト２７を浴びることの不快感を無くすことができる。
なお、本発明は、上記実施の形態に限定されるものではなく、例えば、次のような変更が可能である。
【００３２】
（１）ミスト噴霧口１３と吹出し口１１との位置関係としては、ミスト噴霧口１３から噴霧されるミスト２７の背面側にミスト遮断空気流２６を形成するように吹出し口１１を種々配置することができ、例えば、ミスト噴霧口１３が吹出し口１１よりも上側又は正面側に配置されるように設定することができる。なお、本体ケーシング１に設けるミスト噴霧口１３は、突出するように本体ケーシング１に設けるものでもよい。
【００３３】
（２）また、ミスト噴霧口１３は、そのミスト噴霧方向を手動又は自動により上下に変更可能に構成してもよい。これにより、ミスト２７が本体ケーシング１下側の浴室２０の壁面側へ進出することを防止しつつ、ミスト噴霧口１３のミスト噴霧方向を変更することで、ミスト噴霧口１３から噴霧されるミスト２７を浴室２０内部の所望領域に送り込むことができる。
【００３４】
（３）また、ミスト噴霧口１３は、本体ケーシング１正面に横長に複数設ける等のように複数箇所に設けるようにしてもよい。
【図面の簡単な説明】
【００３５】
【図１】本発明の実施の形態によるミスト機能付き浴室暖房装置の構成を示すとともに、浴室内（出入口扉上の壁面）の設置例を示す断面図である。
【図２】ミスト機能付き浴室暖房装置の本体ケーシングの外観を示す平面図である。
【図３】ミスト機能付き浴室暖房装置の浴室内（浴槽が配置された壁面）の他の設置例を示す側面図である。
【図４】従来のミスト機能付き浴室暖房装置の構成を示す断面図である。
【図５】従来のミスト機能付き浴室暖房装置の浴室内の設置例を示す図である。
【符号の説明】
【００３６】
１  本体ケーシング
３  外部熱源機
１０  吸込み口
１１  吹出し口
１２  ルーバ（翼体）
１３  ミスト噴霧口
２０  浴室
２１  出入口
２２  浴槽
２４  脱衣室
２５  出入口扉
２６  ミスト遮断空気流
２７  ミスト
２８，２９  壁面
【図１】
2006334285.tif 000003
【図２】
2006334285.tif 000004
【図３】
2006334285.tif 000005
【図４】
2006334285.tif 000006
【図５】
2006334285.tif 000007